(57)【要約】  ホームネットワーク（１０；１１）が、レジデンシャルゲートウェイ（２３）を間に備えた複数のネットワーク装置（２７、２８、２９）を有する、ホームネットワークトポロジの識別方法であって、少なくとも１つのホームネットワークパラメータを、ネットワーク装置（２７、２８、２９）のうちの少なくとも１つから取得するステップ（１ａ）と、ホームネットワーク（１０；１１）のネットワークチャネル利得関数（ＣＧＦ）をネットワーク装置（２７、２８、２９）のうちの１つから取得するステップ（１ｂ）と、等価な推定チャネル遅延スプレッド関数（ＣＤＳ）を得るために、チャネル利得関数（ＣＧＦ）を時間領域に変換するステップ（１ｃ）と、推定チャネル遅延スプレッド関数（ＣＤＳ）およびネットワークの伝搬速度から推定ブラインドネットワークトポロジを取得するステップ（１ｄ）と、少なくとも１つの構造的ネットワークトポロジパラメータを取得するために、推定ブラインドネットワークトポロジを少なくとも１つのホームネットワークパラメータに相関させるステップ（１ｅ）とを含む方法、ならびにレジデンシャルゲートウェイ（２３）を間に備えた複数のネットワーク装置（２７、２８、２９）を有するホームネットワーク（１０；１１）から遠隔地にある管理センタ装置（２５）であって、方法のステップ（１ａ）から（１ｅ）を実施するようになされている、管理センタ装置（２５）。
2015514363.tif 000002
【特許請求の範囲】
【請求項１】
ホームネットワーク（１０；１１）が、レジデンシャルゲートウェイ（２３）を間に備えた複数のネットワーク装置（２７、２８、２９）を有する、ホームネットワークトポロジの識別方法であって、
少なくとも１つのホームネットワークパラメータを、ネットワーク装置（２７、２８、２９）のうちの少なくとも１つから取得するステップ（１ａ）と、
ホームネットワーク（１０；１１）のネットワークチャネル利得関数（ＣＧＦ）をネットワーク装置（２７、２８、２９）のうちの１つから取得するステップ（１ｂ）と、
等価な推定チャネル遅延スプレッド関数（ＣＤＳ）を得るために、チャネル利得関数（ＣＧＦ）を時間領域に変換するステップ（１ｃ）と、
推定チャネル遅延スプレッド関数（ＣＤＳ）およびネットワークの伝搬速度から推定ブラインドネットワークトポロジを取得するステップ（１ｄ）と、
少なくとも１つの構造的ネットワークトポロジパラメータを取得するために、推定ブラインドネットワークトポロジを少なくとも１つのホームネットワークパラメータに相関させるステップ（１ｅ）と
を含む、方法。
【請求項２】
ネットワークチャネル利得関数（ＣＧＦ）の位相関係が事前に不明であり、ステップ（１ｃ）が、
チャネル利得関数（ＣＧＦ）を時間領域に変換するステップ（ｃ１）と、
チャネル遅延スプレッド関数（ＣＤＳ）がゼロ値でない間隔が中心時間（２６）に対して実質的に対称になるように、チャネル遅延スプレッド関数（ＣＤＳ）を、選択された中心時間（２６）にシフトさせるステップ（ｃ２）と、
選択された長さ（α）の間隔の外ではゼロ値の窓関数をチャネル遅延スプレッド関数（ＣＤＳ）に適用するステップ（ｃ３）であって、選択された長さ（α）の間隔が中心時間（２６）に対して実質的に対称である、適用するステップ（ｃ３）と、
窓で切り出されたチャネル遅延スプレッド関数（ＣＤＳ）を時間起点にシフトさせるステップ（ｃ４）と、
計算されたチャネル利得推定値（ＣＣＧ）を取得するために、窓で切り出されたチャネル遅延スプレッド関数（ＣＤＳ）を周波数領域に変換するステップ（ｃ５）と、
差の尺度を導出するための距離関数を適用することによって、計算されたチャネル利得推定値（ＣＣＧ）とチャネル利得関数（ＣＧＦ）を比較するステップ（ｃ６）と
を含む、請求項１に記載の方法。
【請求項３】
ステップ（ｃ３）から（ｃ６）が、選択された間隔長（α）ごとに差の尺度を取得するために、選択された異なる間隔長（α）で連続的に実施され、かつ、差の尺度の所定の基準を適用することから、窓関数の間隔長（ｗ）を選択することによって、等価な推定チャネル遅延スプレッド関数（ＣＤＳ）が求められる、請求項２に記載の方法。
【請求項４】
ホームネットワークパラメータが、ビット誤り率、装置識別子、タイムスタンプ、チャネル利得、ドメイン識別子、およびデータ転送速度からなるパラメータの群から選択される、請求項１に記載の方法。
【請求項５】
収集されたホームネットワークパラメータおよびホームネットワーク（１０；１１）のネットワークチャネル利得関数（ＣＧＦ）が遠隔管理センタ（２３）に転送され、方法が、ホームネットワーク（１０；１１）の遠隔地点にある管理センタ装置（２５）によって行われる、請求項１に記載の方法。
【請求項６】
ホームネットワーク（１０；１１）が実質的に電力線ネットワークである、請求項１に記載の方法。
【請求項７】
ステップ（１ｄ）において、チャネル遅延スプレッド関数（ＣＤＳ）の主要な反射だけが考慮される、請求項１に記載の方法。
【請求項８】
レジデンシャルゲートウェイ（２３）を間に備えた複数のネットワーク装置（２７、２８、２９）を有するホームネットワーク（１０；１１）から遠隔地にある管理センタ装置（２５）であって、請求項１に記載の方法のステップ（１ａ）から（１ｅ）を実施するようになされている、管理センタ装置（２５）。
【発明の詳細な説明】
【技術分野】
【０００１】
本発明は、ホームネットワークトポロジの識別方法およびその方法を実施するようになされた管理センタ装置に関する。
【背景技術】
【０００２】
国際電気通信連合（ＩＴＵ）の規格「Ｇ．ｈｎ」は、宅内の広帯域用途で必要とされる広帯域データ通信を可能にするために規定された。Ｇ．ｈｎでは、銅線ツイストペア、同軸ケーブル、電力線ケーブルのような異なるメディアによる宅内ネットワークアクセスに対して異なるドメインが利用可能である。
【０００３】
今日に至っても、ホームネットワークとしても知られる宅内ネットワークのトラブルシューティングおよび診断を、ネットワーク外の遠隔地点から行うことは困難な作業である。特に、ホームネットワーク内に潜在的に存在する数多くの分岐および終端装置のために、ホームネットワークのサイズおよび構造の識別は困難である。
【０００４】
この問題をさらに例示するために、比較的単純な構造で、１つの分岐と３つの分岐をそれぞれもつホームネットワークの例を図１に示す。チャネル利得関数は、図１の分岐が１つのネットワークについては図２の上側に、また分岐が３つのネットワークについては図２の下側に示されている。
【０００５】
ホームネットワークのより複雑な例が図３に記載されている。図３は上側で、１２のノードおよび５つの分岐を含む電力線ネットワークまたはツイストペア線ネットワークによって形成されるホームネットワークを概略的に表している。図１の下側は、同軸線技術で構築された別のホームネットワークを示す。
【０００６】
特に数多くのノードおよび分岐を含む電力線通信（ＰＬＣ）ネットワークなどの、より複雑なホームネットワークトポロジを考えるとき、ホームネットワークトポロジの識別方法の利用可能な解決策は、サービス事業者の立場から見て望ましいほど効率的ではない。これは、一層複雑なチャネル利得関数と、ホームネットワークのすべての分岐において発生する非常に多くの反射とが理由である。
【発明の概要】
【発明が解決しようとする課題】
【０００７】
電力線ケーブル、同軸ケーブル、ツイストペアケーブルなどのメディアに基づくホームネットワークは、マルチパス伝搬環境を構築する異なるセグメント、たとえば電力線およびツイストペア線のネットワーク内の分岐、ならびに同軸ケーブルを用いたネットワーク内のスプリッタを含む。
【０００８】
一般に、ネットワーク内の経路の数を特徴とするマルチパスの次数は、チャネルインパルス応答の長さ、すなわちチャネル遅延スプレッドによって記述される。当然ながら、チャネル遅延スプレッドとネットワークトポロジの関係は明らかである。ネットワークセグメントの数が増えるにつれて、マルチパスの次数が大きくなる。結果的に、チャネル遅延スプレッドが増大する。特に、チャネル遅延スプレッドはホームネットワークトポロジの関数である。
【０００９】
この関係を利用して、ネットワークサイズおよびその構造を、そのチャネル遅延スプレッドを通じてネットワークシグネチャを推定することによって識別することができる。さらに、ネットワーク識別は、推定ネットワークシグネチャと、ホームネットワーク装置から取得されたネットワークパラメータとを相関させることによって向上する。
【課題を解決するための手段】
【００１０】
ホームネットワークが、レジデンシャルゲートウェイを間に備えた複数のネットワーク装置を有するホームネットワークトポロジの識別方法の例示的な一実施形態によれば、この方法は、
少なくとも１つのホームネットワークパラメータを、ネットワーク装置のうちの少なくとも１つから取得するステップ（ａ）と、
ホームネットワークのネットワークチャネル利得関数をネットワーク装置のうちの１つから取得するステップ（ｂ）と、
等価な推定チャネル遅延スプレッド関数を得るために、チャネル利得関数を時間領域に変換するステップ（ｃ）と、
推定チャネル遅延スプレッド関数およびネットワークの伝搬速度から推定ブラインドネットワークトポロジを取得するステップ（ｄ）と、
少なくとも１つの構造的ネットワークトポロジパラメータを取得するために、推定ブラインドネットワークトポロジを少なくとも１つのホームネットワークパラメータに相関させるステップ（ｅ）と
を含む。
【００１１】
本出願で使用される「レジデンシャルゲートウェイ」は、特に、ホームネットワークを広域ネットワーク（ＷＡＮ）に接続するようになされたホームネットワーク装置として理解されるものとする。本出願で使用される「ブラインドネットワークトポロジ」という語句は、特に、ネットワークに関する構造の情報をなんら含まない、ネットワークのさまざまなネットワーク装置間の距離に関する情報の集合として理解されるものとする。チャネル利得関数の時間領域への変換は、好ましくは逆フーリエ変換によって実施される。離散的な測定値の場合、逆高速フーリエ変換（ＦＦＴ）が好ましい。
【００１２】
少なくとも１つのホームネットワークパラメータは、ＴＲ−０６９、または当業者には適切に思える任意の他のプロトコルなどの、ネットワーク内のネットワークプロトコルを介して、ネットワーク装置のうちの少なくとも１つから取得され得る。
【００１３】
この方法は、ホームネットワークトポロジの確実かつ高速な識別を可能にし得る。チャネル遅延スプレッド関数から抽出された情報を少なくとも１つのホームネットワークパラメータに相関させることによって、接続された分岐などのさらなるトポロジパラメータが、ネットワークトポロジに関する仮定の確認のために一義的に導出され、さらなる分析の基礎として使用され得る。分岐などのホームネットワークの構造的特性は、確実に識別され、さらに推定ネットワークトポロジを計量データに適合させるために使用され得る。
【００１４】
好適な実施形態では、方法は、自動的に、かつホームネットワークから遠隔地の場所からも行うことができる。
【００１５】
別の好ましい実施形態では、ネットワークチャネル利得関数の位相関係が事前に（ａ  ｐｒｉｏｒｉ）不明である場合、方法のステップ（ｃ）は、
チャネル利得関数を時間領域に変換するステップ（ｃ１）と、
チャネル遅延スプレッド関数がゼロ値でない間隔が中心時間に対して実質的に対称になるように、チャネル遅延スプレッド関数を、選択された中心時間にシフトさせるステップ（ｃ２）と、
選択された長さの間隔の外ではゼロ値の窓関数をチャネル遅延スプレッド関数に適用するステップ（ｃ３）であって、選択された長さの間隔が中心時間に対して実質的に対称である、適用するステップ（ｃ３）と、
窓で切り出されたチャネル遅延スプレッド関数を時間起点にシフトさせるステップ（ｃ４）と、
計算されたチャネル利得推定値を取得するために、窓で切り出されたチャネル遅延スプレッド関数を周波数領域に変換するステップ（ｃ５）と、
差の尺度を導出するための距離関数を適用することによって、計算されたチャネル利得推定値とチャネル利得関数を比較するステップ（ｃ６）と
を含む。
【００１６】
好ましくは、計算されたチャネル利得推定値とチャネル利得関数を比較するために適用される距離関数は、「真の値」としてのチャネル利得関数に対する推定量とされる計算されたチャネル利得推定値の平均二乗誤差に基づく。一般に、当業者には適切に思える任意の他の距離関数が適用されてもよい。
【００１７】
計算されたチャネル利得推定値とチャネル利得関数の差の尺度を導出することによって、ネットワークチャネル利得関数の位相関係の正確な値についての推定値が得られる。
【００１８】
さらに別の実施形態では、ステップ（ｃ３）から（ｃ６）は、選択された間隔長ごとに差の尺度を取得するために、選択された異なる間隔長で連続的に実施され、差の尺度の所定の基準を適用することから、窓関数の間隔長を選択することによって、等価な推定チャネル遅延スプレッド関数が求められる。好ましくは、所定の基準は、計算されたチャネル利得推定値とチャネル利得関数の平均二乗誤差についての上限であってもよい。したがって、計算されたチャネル利得推定値は、望ましい正確さでチャネル利得関数に近似し得る。
【００１９】
ネットワークチャネル利得関数の位相関係が事前に分かっている場合は、ステップ（ｃ１）から（ｃ６）は当然ながら省略されてもよく、位相関係についての情報を既に含んだ推定チャネル遅延スプレッド関数が、さらなる識別に使用され得る。
【００２０】
別の実施形態において、推定ブラインドネットワークトポロジに相関させられる少なくとも１つのホームネットワークパラメータは、ビット誤り率、装置識別子、タイムスタンプ、チャネル利得、ドメイン識別子、およびデータ転送速度からなるパラメータの群から選択される。これらのパラメータのうちの任意のものと推定ブラインドネットワークトポロジの相関によって、ホームネットワークトポロジについての取得した情報の信頼性が高まり、また、識別処理に要する処理時間が短くなり得る。
【００２１】
さらに好ましい実施形態では、収集されたホームネットワークパラメータは、方法を実施するようになされている遠隔地の管理センタ装置に転送される。それによって、ホームネットワークのコストを大幅に減少させることができ、サービススタッフをホームネットワークの場所に行かせる手間を省くことができる。本実施形態はまた、ホームネットワークのより頻繁な分析を可能にし、予防保守の選択肢をもたらす。好ましくは、ホームネットワークパラメータは、レジデンシャルゲートウェイによって収集され、遠隔地の管理センタ装置に転送され得る。
【００２２】
別の好ましい実施形態では、ホームネットワークは実質的に電力線ネットワークである。本出願で使用される「実質的に電力線ネットワーク」という語句は、特に、電力線ケーブルに基づく、また、ホームネットワーク内のデータ伝送に使用される全メディアの少なくとも７０％が電力線ケーブルとして形成されているネットワークとして理解されるものとする。これらは各家に共通に利用可能なので、方法は既存のホームネットワークの大部分に適用され得る。
【００２３】
ホームネットワークトポロジの識別に要する処理時間は、方法のステップ（ｄ）において、チャネル遅延スプレッド関数の主要な反射だけが考慮される場合に、有利には短く維持され得る。理論的には無数の反射が存在し、したがって、無関係なものを選別することで、処理時間を大幅に短くすることができる。本出願で使用される「主要な反射」という語句は、特に、振幅の上７０％、好ましくは上６０％、最も好ましくは、サイズに従って選別される振幅の上５０％超に対応する反射を含むものとして理解されるものとする。
【００２４】
別の態様では、レジデンシャルゲートウェイを間に備えた複数のネットワーク装置を有するホームネットワークから遠隔地にある管理センタ装置が設けられており、管理センタ装置は、記載した方法のステップ（１ａ）から（１ｅ）を実施するようになされている。これは、低コストかつ高い信頼性でホームネットワークの頻繁な自動的分析を可能にし得る。
【００２５】
本発明のこれらおよびその他の態様は後述する実施形態から明白であり、またそれらを参照することで明らかとなろう。
【図面の簡単な説明】
【００２６】
【図１】１つの分岐と３つの分岐をそれぞれ含むホームネットワークトポロジを概略的に示す図である。
【図２】図１に準じたホームネットワークの測定されたチャネル利得関数を示すグラフである。
【図３】ホームネットワークのさらなる例を概略的に示す図である。
【図４】ホームネットワークトポロジの識別方法の一実施形態のステップを示すフローチャートである。
【図５】図４に準じたステップの結果を概略的に示すグラフである。
【図６】図１に準じたホームネットワークの推定チャネル遅延スプレッド関数から取得された反射の距離を示すグラフである。
【図７】方法の一実施形態の機能ブロック図である。
【発明を実施するための形態】
【００２７】
ホームネットワーク１０、１０’、１１、１１’の例は「背景技術」の項において既に紹介している。以下では、図１に示すホームネットワーク１０および１０’に、ホームネットワークトポロジの識別方法の一実施形態を適用することについて説明する。
【００２８】
図１の下側は、複数のネットワーク装置２７、２８、２９と、ホームネットワーク１０をインターネットなどの広域ネットワークＷＡＮに接続するようになされたレジデンシャルゲートウェイ２３とを有するホームネットワーク１０を示す。ホームネットワーク１０は、９つのノード１−９および３つの分岐１２、１３、１４を備える電力線ネットワークとして設計されている。
【００２９】
ホームネットワーク１０から遠隔地にあり、レジデンシャルゲートウェイ２３を介してホームネットワーク１０に接続されているのは、管理センタ装置２５を備えた管理センタ２４（図７）である。ソフトウェアモジュールは、以下に記載するホームネットワークトポロジの識別方法のステップを実施するようになされている。ステップ１５−２２（図４、図５、および図７）は、管理センタ装置２５において実施可能かつ管理センタ装置２５によって実行可能なソフトウェアモジュールのプログラムコードに変換され、したがって、ホームネットワークトポロジの識別方法のステップ１５−２２は遠隔地の管理センタ装置２５によって実施される。
【００３０】
ホームネットワークトポロジの識別方法の第１のステップ（図７）において、ホームネットワークパラメータが、ネットワーク装置から、レジデンシャルゲートウェイ２３によって、ホームネットワーク１０内の管理プロトコルＴＲ（Ｔｅｃｈｎｉｃａｌ  Ｒｅｐｏｒｔ）−０６９を介して収集される。収集されたパラメータは、すべての接続されたネットワーク装置２７、２８、２９の装置識別子および伝送タイムスタンプを含む。一般に、それらは、ビット誤り率、装置識別子、タイムスタンプ、チャネル利得、ドメイン識別子、およびデータ転送速度からなるパラメータの群から選択され得る。
【００３１】
第２のステップにおいて、ホームネットワーク１０のネットワークチャネル利得関数ＣＧＦが、ネットワーク装置２７、２８、２９のうちの１つから、レジデンシャルゲートウェイ２３によって取得される。収集されたホームネットワークパラメータおよびネットワークチャネル利得関数ＣＧＦは、ステップ１５および１６（図７）においてレジデンシャルゲートウェイ２３を介して遠隔地の管理センタ装置２５に転送される。
【００３２】
次のステップ１７において、管理センタ装置２５は、逆高速フーリエ変換（ｉＦＦＴ）を適用することによってチャネル利得関数ＣＧＦを時間領域に変換して、等価なチャネル遅延スプレッド関数ＣＤＳを得るようになされている（図５の上側）。
【００３３】
チャネル利得関数ＣＧＦの事前に不明な位相により、チャネル遅延スプレッド関数ＣＤＳの正確な開始と終了は分かっておらず、したがって、別のステップ１８において推定されなければならない。この目的のために、チャネル遅延スプレッド関数ＣＤＳは、図５の中央部分に示すように、チャネル遅延スプレッド関数ＣＤＳのゼロでない値の間隔が中心時間２６に対して実質的に対称になるように、選択された中心時間２６にシフトされる。次いで、選択された長さαの間隔の外ではゼロ値の窓関数がチャネル遅延スプレッド関数ＣＤＳに適用され、ここで、選択された長さαの間隔は中心時間２６に対して実質的に対称である（図４および図５の中央部分）。このステップ１８から取得される、窓で切り出された推定チャネル遅延スプレッド関数ＣＤＳは、図５の下側の左に描かれている。
【００３４】
方法の別のステップ１９において、窓で切り出された推定チャネル遅延スプレッド関数ＣＤＳは時間起点（結果は図５に図示せず）にシフトされ、窓で切り出された推定チャネル遅延スプレッド関数ＣＤＳは、図５の下側の右に示されるように、計算されたチャネル利得推定値ＣＣＧを取得するために周波数領域に変換される。
【００３５】
計算されたチャネル利得推定値ＣＣＧとチャネル利得関数ＣＧＦは、差の尺度を導出するための距離関数を適用することによって比較される（図４）。距離関数は、計算されたチャネル利得推定値ＣＣＧを推定量とし、チャネル利得関数ＣＧＦを「真」の値とし、計算されたチャネル利得推定値ＣＣＧの値と、同じ周波数で取得されたチャネル利得関数ＣＧＦの値との差の２乗を合算する平均２乗誤差ＭＳＥ計算からなり、この合算は、図２の下側に示した周波数範囲にわたり、等距離の周波数ステップにおいて行われる。
【００３６】
差の尺度についての所定の基準が管理センタ装置２５のメモリユニット（図示せず）に格納されている。次のステップ２０では、管理センタ装置２５は、計算されたチャネル利得推定値ＣＣＧとチャネル利得関数ＣＧＦの取得した差の尺度についての所定の基準を適用するようになされている。
【００３７】
取得した差の尺度が所定の基準を満たさない場合、別のステップ２１（図４）で、管理センタ装置２５は、窓関数の選択された間隔長αを増加させ、以下のステップ１８−２０を反復するようになされている：
選択された長さαの間隔が中心時間２６に対して実質的に対称であるチャネル遅延スプレッド関数ＣＤＳに窓関数を適用するステップ、
窓で切り出されたチャネル遅延スプレッド関数を時間起点にシフトさせるステップ、
計算されたチャネル利得ＣＣＧの新たな推定値を取得するために、窓で切り出されたチャネル遅延スプレッド関数ＣＤＳを周波数領域に変換するステップ、および
新たな差の尺度を導出するための距離関数を適用することによって、計算されたチャネル利得ＣＣＧの新たな推定値とチャネル利得関数ＣＧＦを比較するステップ。
【００３８】
図４に示すように、これらのステップ１８−２０は、選択された間隔長αごとに差の尺度を取得するために、取得した差の尺度の１つが所定の基準を満たすまで、選択された異なる間隔長αで管理センタ装置２５によって連続的に実施される。次いで、方法はストップし、チャネル遅延スプレッド関数ＣＤＳの事前に不明な開始と終了は、差の尺度の基準が満たされた窓関数の間隔長ｗを選択することによって求められる。
【００３９】
窓で切り出されたチャネル遅延スプレッドＣＤＳ関数が求められた後、管理センタ装置２５は、窓で切り出されたチャネル遅延スプレッド関数ＣＤＳから推定ブラインドネットワークトポロジを、また、次の式を用いることによってネットワークの伝搬速度を取得するようになされている。
距離＝伝搬速度×推定遅延
距離の推定については、図６に示すように、チャネル遅延スプレッド関数ＣＤＳの理論的に無数の反射のうち、主要な反射だけが考慮される。ホームネットワークのサイズおよび対応する距離を有するそのセグメントは、分岐が１つのネットワーク１０’については図６の上側に、分岐が３つのネットワーク１０については図６の下側に示すように（変数Ｘは距離を示す）、ピークおよび／または減衰などの異なる反射（「事象」）として識別される。それによって、ブラインドネットワークトポロジ、すなわち距離のみが推定される。
【００４０】
ブラインドネットワークトポロジは、方法の最終ステップ２２の出発点とされ（図７）、ここでは、識別されたホームネットワーク分岐１２、１３、１４などの少なくとも１つの構造的ネットワークトポロジパラメータを取得するために、推定ブラインドネットワークトポロジが収集されたホームネットワークパラメータと相関させられ、これらのパラメータは、すべての接続されたネットワーク装置２７、２８、２９の装置識別子および伝送タイムスタンプを含む。たとえば、伝送タイムスタンプおよび特定の装置の装置識別子は、特定のマスタ装置およびスレーブネットワーク装置を有する分岐１２、１３、１４を識別するために使用され得る。したがって、相関のステップ２２は、ホームネットワークトポロジの確実かつ効率的な識別を可能にする。
【００４１】
説明した方法は、ホームネットワーク１０、１１の分岐１２、１３、１４のうちの１つに存在するサブネットワークにも適用可能であり、したがって、複合ホームネットワークは、識別されたサブネットワークパラメータおよび／またはトポロジに推定ブラインドネットワークトポロジを相関させることによって識別され得ることは当業者には明らかである。
【００４２】
本発明は、図面に示され、前述の記載の中で詳細に説明されているが、かかる図示および説明は例または例示としてみなされるべきであり、限定とみなされるべきではない。本発明は開示された実施形態には限定されない。
【００４３】
開示された実施形態となるべき他の変形形態は、クレームされる発明を実施する当業者によって、図面、本開示、および添付の特許請求の範囲の検討から理解され、行われ得る。特許請求の範囲において、「含む」という語は他の要素またはステップを排除せず、不定冠詞「ある（ａ）」または「一（ａｎ）」は複数を排除しない。相互に異なる従属項にある種の尺度が記載されているだけでは、これらの尺度の組み合わせが有利に使用できないということにはならない。特許請求の範囲における参照符号はいずれも範囲を限定するものとして解釈されるべきではない。
【図１】
2015514363.tif 000003
【図２】
2015514363.tif 000004
【図３】
2015514363.tif 000005
【図４】
2015514363.tif 000006
【図５】
2015514363.tif 000007
【図６】
2015514363.tif 000008
【図７】
2015514363.tif 000009
【国際調査報告】
2015514363.tif 000010
2015514363.tif 000011
2015514363.tif 000012